【手続補正書】
【提出日】平成31年3月25日(2019.3.25)
【手続補正１】
【補正対象書類名】特許請求の範囲
【補正対象項目名】全文
【補正方法】変更
【補正の内容】
【特許請求の範囲】
【請求項１】
臨床データの受け渡しのためのシステムであって、前記システムは、
医療的イベントの第１部分の間に、患者をモニタリングし、第１の臨床情報を格納する第１の医療機器と、
第２の医療機器であって、前記医療的イベントの第２部分の間に、前記患者をモニタリングし、前記患者に関する第２の臨床情報を格納する前記第２の医療機器と、
制御モジュールであって、
前記第１の医療機器及び前記第２の医療機器が前記医療的イベントの間に同一の患者に対して使用される、というインディケーションを受信し、前記インディケーションに基づいて、前記第２の医療機器による前記第１の臨床情報へのアクセスを確立する結果、前記第２の医療機器が、前記医療的イベントの間に、
（ａ）前記第１の臨床情報のうちの少なくとも一部を前記第２の医療機器上に表示すること、
（ｂ）前記第１の臨床情報のうちの少なくとも一部から導き出された情報を前記第２の医療機器上に表示すること、
（ｃ）前記第１の臨床情報に基づいて前記第２の医療機器のオペレーションを変更すること、及び、
（ｄ）前記第１の臨床情報を前記第２の医療機器又は遠隔データベースに格納すること
のうちの１又は複数を実行することを可能にする制御モジュールと
を備える、システム。
【請求項２】
前記第１の医療機器は前記第１の臨床情報を第１のメモリに格納し、前記第２の医療機器は前記第２の臨床情報を第２のメモリに格納し、前記制御モジュールは更に、前記インディケーションに基づいて、前記第２の医療機器による前記第１のメモリへのアクセスを確立する、請求項１に記載のシステム。
【請求項３】
前記第１のメモリ及び前記第２のメモリは同じメモリ機器の一部である、請求項２に記載のシステム。
【請求項４】
前記医療的イベントの前記第２部分は、前記医療的イベントの前記第１部分の後に発生する、請求項１から３のいずれか１項に記載のシステム。
【請求項５】
前記制御モジュールは更に、前記第１の医療機器及び前記第２の医療機器が近接して配置されていることを判定すると、前記第２の医療機器によるアクセスを確立する、請求項１から４のいずれか１項に記載のシステム。
【請求項６】
前記制御モジュールは更に、第１の医療機器及び第２の医療機器の一方又は両方を確認するよう誘導し、前記誘導は、鍵コード、可視ビーコン、可視光、可聴誘導、及び、患者特有の入力のうちの少なくとも１つを含む、請求項１から５のいずれか１項に記載のシステム。
【請求項７】
前記制御モジュールは更に、無線周波数信号を交換すると、前記第１の医療機器及び前記第２の医療機器が近接して配置されていることを判定する、請求項１から６のいずれか１項に記載のシステム。
【請求項８】
前記制御モジュールは更に、前記第１の医療機器及び前記第２の医療機器のそれぞれからグローバルポジショニングシステム（ＧＰＳ）信号を受信すると、前記第１の医療機器及び前記第２の医療機器が近接して配置されていることを判定する、請求項１から７のいずれか１項に記載のシステム。
【請求項９】
前記制御モジュールは更に、共有ローカルエリアネットワーク（ＬＡＮ）に接続されている前記第１の医療機器及び前記第２の医療機器のそれぞれに応答して、前記第１の医療機器及び前記第２の医療機器が近接して配置されていることを判定する、請求項１から８のいずれか１項に記載のシステム。
【請求項１０】
前記制御モジュールは更に、前記第１の臨床情報と、前記第２の医療機器を使用して処置されている前記患者の身元識別情報、前記患者又は前記第２の医療機器の場所、時間、介護福祉士の身元識別情報、及び、前記第２の医療機器により集められた第２の臨床情報、に列挙する項目のうちの１つ又はそれらの組み合わせに関する情報との間の相関性を判定すると、前記第２の医療機器による前記第１の臨床情報へのアクセスを確立する、請求項１から９のいずれか１項に記載のシステム。
【請求項１１】
前記第１のメモリは前記第１の医療機器上に設けられ、前記第２のメモリは前記第２の医療機器上に設けられる、請求項２に記載のシステム。
【請求項１２】
前記第１のメモリ及び前記第２のメモリのうちの少なくとも１つは、ネットワーク内にある前記第１の医療機器及び前記第２の医療機器から遠く離して配置され、前記第１の医療機器及び前記第２の医療機器は、前記ネットワークを介して無線で通信可能に結合されている、請求項２に記載のシステム。
【請求項１３】
前記第１の医療機器及び前記第２の医療機器は、前記第１の臨床情報及び前記第２の臨床情報をそれぞれ直接転送し、前記制御モジュールは更に、前記インディケーションに基づいて、前記第２の医療機器による前記第１の医療機器への機器同士の直接アクセスを確立する結果、前記第２の医療機器が前記第１の臨床情報へアクセスすることを可能とする、請求項１から１２のいずれか１項に記載のシステム。
【請求項１４】
前記医療的イベントは救急医療イベントである、請求項１から１３のいずれか１項に記載のシステム。
【請求項１５】
前記第１の臨床情報は、前記医療的イベントの前記第１部分の間の前記患者への心肺蘇生法（ＣＰＲ）の実施について詳述する、請求項１から１４のいずれか１項に記載のシステム。
【請求項１６】
前記第１の臨床情報のうちの少なくとも一部から導き出された前記情報は、ＣＰＲ品質のインディケーションを含む、請求項１から１５のいずれか１項に記載のシステム。
【請求項１７】
前記ＣＰＲ品質のインディケーションは、胸部圧迫メトリックのインディケーションを含む、請求項１６に記載のシステム。
【請求項１８】
前記第１の臨床情報のうちの少なくとも一部から導き出された前記情報は、ＣＰＲ時間のインディケーションを含む、請求項１から１７のいずれか１項に記載のシステム。
【請求項１９】
前記ＣＰＲ時間のインディケーションは、ＣＰＲ実施の開始時間、ＣＰＲ実施の終了時間、ＣＰＲ実施の継続期間、及び、胸部圧迫タイミングのうちの１又は複数を含む、請求項１８に記載のシステム。
【請求項２０】
前記医療的イベントの間、前記第１の医療機器及び第２の医療機器が同じ患者に対して使用されるという前記インディケーションは、前記第１の医療機器及び前記第２の医療機器の一方又は両方の認証に基づく、請求項１から１９のいずれか１項に記載のシステム。
【請求項２１】
前記認証は、集中型認証局に少なくとも部分的に基づく、請求項２０に記載のシステム。
【請求項２２】
前記第１の臨床情報に基づいて前記第２の医療機器の前記オペレーションを修正する段階は、前記第２の医療機器に使用される１又は複数のアルゴリズムを修正する段階を含む、請求項１から２１のいずれか１項に記載のシステム。
【請求項２３】
前記第２の医療機器に使用される前記１又は複数のアルゴリズムは、少なくとも１つの臨床決断支援アルゴリズムを含む、請求項２２に記載のシステム。
【請求項２４】
前記第１の臨床情報に基づいて前記第２の医療機器の前記オペレーションを修正する段階は、前記第２の医療機器の出力を修正して、前記第１の臨床情報への前記第２の医療機器による確立したアクセスをインディケートする段階を含む、請求項１から２３のいずれか１項に記載のシステム。
【請求項２５】
前記第２の医療機器の前記出力は、前記第２の医療機器のスクリーン上の視覚的インディケーションを含む、請求項２４に記載のシステム。
【請求項２６】
前記第２の医療機器の前記出力は、聴覚的な信号を含む、請求項２４又は２５に記載のシステム。
【手続補正２】
【補正対象書類名】明細書
【補正対象項目名】発明の名称
【補正方法】変更
【補正の内容】
【発明の名称】機器の管理における臨床データの受け渡し及びデータ共有のためのシステム
【手続補正３】
【補正対象書類名】明細書
【補正対象項目名】０１８０
【補正方法】変更
【補正の内容】
【０１８０】
本開示の範囲から逸脱することなく、記載された複数の例示的な実施形態に対して、様々な変更及び追加を行うことが出来る。例えば、上述の実施形態は特定の特徴を指すが、本開示の範囲はまた、複数の特徴の異なる組み合わせを含む実施形態、及び、説明された全ての特徴を含まない実施形態も有する。従って、このような全ての代替例、変更例、及び変形例は特許請求の範囲に含まれるものであり、それらの全ての均等例と共に、本開示の範囲に包含されることを意図する。
［項目１］
臨床データの受け渡しのためのシステムであって、前記システムは、
医療的イベントの第１部分の間に、患者をモニタリングし、第１の臨床情報を格納する第１の医療機器と、
第２の医療機器であって、前記医療的イベントの第２部分の間に、前記患者をモニタリングし、前記患者に関する第２の臨床情報を格納する前記第２の医療機器と、
制御モジュールであって、
前記第１の医療機器及び前記第２の医療機器が前記医療的イベントの間に同じ患者に対して使用される、というインディケーションを受信し、上記インディケーションに基づいて、上記第２の医療機器による上記第１の臨床情報へのアクセスを確立する結果、上記第２の医療機器が、上記医療的イベントの間に、
（ａ）上記第１の臨床情報のうちの少なくとも一部を上記第２の医療機器上に表示すること、
（ｂ）上記第１の臨床情報のうちの少なくとも一部から導き出された情報を上記第２の医療機器上に表示すること、
（ｃ）上記第１の臨床情報に基づいて上記第２の医療機器のオペレーションを変更すること、及び、
（ｄ）上記第１の臨床情報を上記第２の医療機器又は遠隔データベースに格納すること
のうちの１又は複数を実行することを可能にする制御モジュールと
を備える、システム。
［項目２］
上記第１の医療機器は上記第１の臨床情報を第１のメモリに格納し、上記第２の医療機器は上記第２の臨床情報を第２のメモリに格納し、上記制御モジュールは更に、上記インディケーションに基づいて、上記第２の医療機器による上記第１のメモリへのアクセスを確立する、項目１に記載のシステム。
［項目３］
上記第１のメモリ及び上記第２のメモリは同じメモリ機器の一部である、項目２に記載のシステム。
［項目４］
上記医療的イベントの上記第２部分は、上記医療的イベントの上記第１部分の後に発生する、項目１から３のいずれか１項に記載のシステム。
［項目５］
上記制御モジュールは更に、上記第１の医療機器及び上記第２の医療機器が近接して配置されていることを判定すると、上記第２の医療機器によるアクセスを確立する、項目１から４のいずれか１項に記載のシステム。
［項目６］
上記制御モジュールは更に、第１の医療機器及び第２の医療機器の一方又は両方を確認するよう誘導し、上記誘導は、鍵コード、可視ビーコン、可視光、可聴誘導、及び、患者特有の入力のうちの少なくとも１つを含む、項目１から５のいずれか１項に記載のシステム。
［項目７］
上記制御モジュールは更に、無線周波数信号を交換すると、上記第１の医療機器及び上記第２の医療機器が近接して配置されていることを判定する、項目１から６のいずれか１項に記載のシステム。
［項目８］
上記制御モジュールは更に、上記第１の医療機器及び上記第２の医療機器のそれぞれからグローバルポジショニングシステム（ＧＰＳ）信号を受信すると、上記第１の医療機器及び上記第２の医療機器が近接して配置されていることを判定する、項目１から７のいずれか１項に記載のシステム。
［項目９］
上記制御モジュールは更に、共有ローカルエリアネットワーク（ＬＡＮ）に接続されている上記第１の医療機器及び上記第２の医療機器のそれぞれに応答して、上記第１の医療機器及び上記第２の医療機器が近接して配置されていることを判定する、項目１から８のいずれか１項に記載のシステム。
［項目１０］
上記制御モジュールは更に、上記第１の臨床情報と、上記第２の医療機器を使用して処置されている患者の身元識別情報、上記患者又は上記第２の医療機器の場所、時間、介護福祉士の身元識別情報、及び、上記第２の医療機器により集められた第２の臨床情報、に列挙する項目のうちの１つ又はそれらの組み合わせに関する情報との間の相関性を判定すると、上記第２の医療機器による上記第１の臨床情報へのアクセスを確立する、項目１から９のいずれか１項に記載のシステム。
［項目１１］
上記第１のメモリは上記第１の医療機器上に設けられ、上記第２のメモリは上記第２の医療機器上に設けられる、項目２に記載のシステム。
［項目１２］
上記第１のメモリ及び上記第２のメモリのうちの少なくとも１つは、ネットワーク内にある上記第１の医療機器及び上記第２の医療機器から遠く離して配置され、上記第１の医療機器及び上記第２の医療機器は、上記ネットワークを介して無線で通信可能に結合されている、項目２に記載のシステム。
［項目１３］
上記第１の医療機器及び上記第２の医療機器は、臨床情報を直接転送し、上記制御モジュールは更に、上記インディケーションに基づいて、上記第２の医療機器による上記第１の医療機器への機器同士の直接アクセスを確立する結果、上記第２の医療機器が上記第１の臨床情報へアクセスすることを可能とする、項目１から１２のいずれか１項に記載のシステム。
［項目１４］
上記医療的イベントは救急医療イベントである、項目１から１３のいずれか１項に記載のシステム。
［項目１５］
上記第１の臨床情報は、上記医療的イベントの上記第１部分の間の患者への心肺蘇生法（ＣＰＲ）の実施について詳述する、項目１から１４のいずれか１項に記載のシステム。
［項目１６］
上記第１の臨床情報のうちの少なくとも一部から導き出された上記情報は、ＣＰＲ品質のインディケーションを含む、項目１から１５のいずれか１項に記載のシステム。
［項目１７］
上記ＣＰＲ品質のインディケーションは、胸部圧迫メトリックのインディケーションを含む、項目１６に記載のシステム。
［項目１８］
上記第１の臨床情報のうちの少なくとも一部から導き出された上記情報は、ＣＰＲ時間のインディケーションを含む、項目１から１７のいずれか１項に記載のシステム。
［項目１９］
上記ＣＰＲ時間のインディケーションは、ＣＰＲ実施の開始時間、ＣＰＲ実施の終了時間、ＣＰＲ実施の継続期間、及び、胸部圧迫タイミングのうちの１又は複数を含む、項目１８に記載のシステム。
［項目２０］
上記医療的イベントの間、上記第１の医療機器及び第２の医療機器が同じ患者に対して使用されるという上記インディケーションは、上記第１の医療機器及び上記第２の医療機器の一方又は両方の認証に基づく、項目１から１９のいずれか１項に記載のシステム。
［項目２１］
上記認証は、集中型認証局に少なくとも部分的に基づく、項目２０に記載のシステム。
［項目２２］
臨床データの受け渡しのためのシステムであって、
通信可能にネットワークに結合されているサーバ機器であって、上記サーバ機器は、メモリ、及び上記メモリと通信可能に結合されるプロセッサを有し、上記メモリは、上記プロセッサにより実行された場合、上記プロセッサに少なくとも１つのコンポーネントを開始させる命令を含み、上記少なくとも１つのコンポーネントは、
通信コンポーネントであって、医療的イベントの間、第１の医療機器及び第２の医療機器との通信を容易にし、上記第１の医療機器から第１の臨床情報を受信し、上記医療的イベントの間に上記第２の医療機器上で、
（ａ）上記第２の医療機器上に上記第１の臨床情報のうちの少なくとも一部を表示すること、
（ｂ）上記第２の医療機器上に上記第１の臨床情報のうちの少なくとも一部から導き出された情報を表示すること、
（ｃ）上記第１の臨床情報に基づいて上記第２の医療機器のオペレーションを変更すること、及び、
（ｄ）上記第２の医療機器又は遠隔データベースに上記第１の臨床情報を格納すること、
のうちの１又は複数を実行すること
を含む通信コンポーネントとを含む、
サーバ機器と、
ユーザと上記通信コンポーネントとの間のインタラクションを容易にする、グラフィカルユーザインターフェース（ＧＵＩ）と
を備える、システム。
［項目２３］
無線ローカルエリアネットワーク（ＷＬＡＮ）を更に備え、上記第１の医療機器及び上記第２の医療機器は上記ＷＬＡＮを介して通信可能に結合されている、項目２２に記載のシステム。
［項目２４］
上記第１の医療機器及び上記第２の医療機器のうちの１つはまた、上記ＷＬＡＮを介して通信を提供する、項目２３に記載のシステム。
［項目２５］
上記第１の医療機器及び上記第２の医療機器のうちの上記１つはまた、上記サーバ機器である、項目２４に記載のシステム。
［項目２６］
上記第１の医療機器及び上記第２の医療機器のうちの上記１つはまた、上記ＷＬＡＮ上の通信ルータである、項目２４又は２５に記載のシステム。
［項目２７］
上記第１の医療機器及び上記第２の医療機器のうちの１つは、医療情報を表示する携帯型コンピューティング機器である、項目２２から２６のいずれか１項に記載のシステム。
［項目２８］
上記携帯型コンピューティング機器は、ｉＰａｄ（登録商標）、携帯電話、スマートフォン、又は、ｉＷａｔｃｈ（登録商標）である、項目２７に記載のシステム。
［項目２９］
上記第１の医療機器及び上記第２の医療機器のうちの少なくとも１つは、身体に装着されている、項目２２から２８のいずれか１項に記載のシステム。
［項目３０］
上記ＷＬＡＮは動的に再構成可能であり、安全である、項目２４から２６のいずれか１項に記載のシステム。
［項目３１］
上記第１の臨床情報は、上記医療的イベントの間の患者への心肺蘇生法（ＣＰＲ）の実施について詳述する、項目２２から３０のいずれか１項に記載のシステム。
［項目３２］
上記第１の臨床情報のうちの少なくとも一部から導き出された上記情報は、ＣＰＲ品質のインディケーションを含む、項目３１に記載のシステム。
［項目３３］
上記ＣＰＲ品質のインディケーションは、胸部圧迫メトリックのインディケーションを含む、項目３２に記載のシステム。
［項目３４］
上記第１の臨床情報のうちの少なくとも一部から導き出された上記情報は、ＣＰＲ時間のインディケーションを含む、項目３１から３３のいずれか１項に記載のシステム。
［項目３５］
上記ＣＰＲ時間のインディケーションは、ＣＰＲ実施の開始時間、ＣＰＲ実施の終了時間、ＣＰＲ実施の継続期間、及び、胸部圧迫タイミングのうちの１又は複数を含む、項目３４に記載のシステム。
［項目３６］
上記第１の臨床情報は、患者が心停止になる前に観察された患者ＥＣＧを含む、項目２２から３５のいずれか１項に記載のシステム。
［項目３７］
上記第１の臨床情報は、上記第１の医療機器により、患者に電気ショックが実施された後に観察される患者ＥＣＧを含む、項目２２から３６のいずれか１項に記載のシステム。
［項目３８］
上記通信コンポーネントは更に、上記第１の医療機器及び上記第２の医療機器が近接して配置されていることを判定すると、上記第１の医療機器及び上記第２の医療機器との通信を容易にする、項目２２から３７のいずれか１項に記載のシステム。
［項目３９］
上記通信コンポーネントは更に、上記第１の医療機器及び上記第２の医療機器の一方又は両方を確認するよう誘導し、また、上記誘導は、鍵コード、可視ビーコン、可視光、可聴誘導、及び、患者特有の入力のうちの少なくとも１つを含む、項目３８に記載のシステム。
［項目４０］
上記通信コンポーネントは更に、無線周波数信号を交換すると、上記第１の医療機器及び上記第２の医療機器が近接して配置されていることを判定する、項目３８又は３９に記載のシステム。
［項目４１］
上記通信コンポーネントは更に、上記第１の医療機器及び上記第２の医療機器のそれぞれからグローバルポジショニングシステム（ＧＰＳ）信号を受信すると、上記第１の医療機器及び上記第２の医療機器が近接して配置されていることを判定する、項目３８から４０のいずれか１項に記載のシステム。
［項目４２］
上記通信コンポーネントは更に、上記第１の医療機器及び上記第２の医療機器のそれぞれが共有ローカルエリアネットワーク（ＬＡＮ）に接続されていることに応答して、上記第１の医療機器及び上記第２の医療機器が近接して配置されていることを判定する、項目３８から４１のいずれか１項に記載のシステム。
［項目４３］
上記通信コンポーネントは更に、上記第１の臨床情報と、上記第２の医療機器を使用して処置されている患者の身元識別情報、上記患者又は上記第２の医療機器の場所、時間、介護福祉士の身元識別情報、及び、上記第２の医療機器により集められた第２の臨床情報、に列挙する項目のうちの１つ又はそれらの組み合わせに関する情報との間の相関性を判定すると、上記第１の医療機器及び上記第２の医療機器との通信を容易にする、項目２２から４２のいずれか１項に記載のシステム。
［項目４４］
上記医療的イベントは救急医療イベントである、項目２２から４３のいずれか１項に記載のシステム。
［項目４５］
上記通信コンポーネントは更に、上記第１の医療機器及び上記第２の医療機器の一方又は両方を認証する、項目２２から４４のいずれか１項に記載のシステム。
［項目４６］
上記認証は集中型認証局に少なくとも部分的に基づく、項目４５に記載のシステム。
［項目４７］
臨床データの受け渡しのためのシステムであって、
患者モニタリング除細動器であって、上記患者モニタリング除細動器は二次救命処置機器であって、上記患者モニタリング除細動器は、医療的イベントの間に自動体外式除細動器、呼吸補助機器、及び自動胸部圧迫機器のうちの１又は複数により記録された臨床データを、上記医療的イベントの間に受信し、
（ａ）上記患者モニタリング除細動器上に上記臨床データのうちの少なくとも一部を表示すること、
（ｂ）上記臨床データのうちの少なくとも一部から導き出された情報を上記患者モニタリング除細動器上に表示すること、
（ｃ）上記臨床データに基づいて上記患者モニタリング除細動器のオペレーションを変更すること、及び、
（ｄ）上記患者モニタリング除細動器に上記臨床データを格納すること、
のうちの１又は複数を、上記医療的イベントの間に実行する通信モジュールを含む、患者モニタリング除細動器
を備える、
システム。
［項目４８］
上記患者モニタリング除細動器及び上記自動体外式除細動器は、上記患者モニタリング除細動器及び上記自動体外式除細動器の一方又は両方の確認を介して、ペアリングする、項目４７に記載のシステム。
［項目４９］
上記患者モニタリング除細動器及び上記自動体外式除細動器は、上記患者モニタリング除細動器及び上記自動体外式除細動器が近接して配置されていることを判定すると、自動的にペアリングする、項目４７又は４８に記載のシステム。
［項目５０］
上記患者モニタリング除細動器及び上記自動体外式除細動器は、無線周波数信号を交換すると、上記患者モニタリング除細動器及び上記自動体外式除細動器が近接して配置されていることを判定する、項目４９に記載のシステム。
［項目５１］
上記患者モニタリング除細動器及び上記自動体外式除細動器は、上記患者モニタリング除細動器及び上記自動体外式除細動器のそれぞれからグローバルポジショニングシステム（ＧＰＳ）の信号を受信すると、上記患者モニタリング除細動器及び上記自動体外式除細動器が近接して配置されていることを判定するよう構成される、項目４９又は５０に記載のシステム。
［項目５２］
上記患者モニタリング除細動器及び上記自動体外式除細動器は、共有ローカルエリアネットワーク（ＬＡＮ）に接続されている上記患者モニタリング除細動器及び上記自動体外式除細動器のそれぞれに応答して、上記患者モニタリング除細動器及び上記自動体外式除細動器が近接して配置されていることを判定する、項目４９から５１のいずれか１項に記載のシステム。
［項目５３］
上記患者モニタリング除細動器及び上記自動体外式除細動器は、ネットワークを介して無線で通信可能に結合されている、項目４７から５２のいずれか１項に記載のシステム。
［項目５４］
上記患者モニタリング除細動器及び上記自動体外式除細動器は、無線で通信可能に結合され、上記患者モニタリング除細動器及び上記自動体外式除細動器間における臨床情報の機器同士の直接転送を提供する、項目４７から５３のいずれか１項に記載のシステム。
［項目５５］
上記医療的イベントは救急医療イベントである、項目４７から５４のいずれか１項に記載のシステム。
［項目５６］
上記臨床データは、上記医療的イベントの間の患者への心肺蘇生法（ＣＰＲ）の実施について詳述する、項目４７から５５のいずれか１項に記載のシステム。
［項目５７］
第１の臨床情報のうちの少なくとも一部から導き出された上記情報は、ＣＰＲ品質のインディケーションを含む、項目５６に記載のシステム。
［項目５８］
上記臨床データは第１の臨床データであり、上記通信モジュールは更に、上記第１の臨床データと、上記患者モニタリング除細動器を使用して処置されている患者の身元識別情報、上記患者又は上記患者モニタリング除細動器の場所、時間、介護福祉士の身元識別情報、及び、上記患者モニタリング除細動器により集められた第２の臨床データ、に列挙する項目のうちの１つ又はそれらの組み合わせに関する情報との間の相関性を判定すると、上記第１の臨床データを受信する、項目４７から５７のいずれか１項に記載のシステム。
［項目５９］
臨床データの受け渡しのための方法であって、
第１の医療機器から、医療的イベントの間に患者をモニタリングしている上記第１の医療機器により生成される臨床情報を受信する段階と、
上記医療的イベントの間、上記患者に対して第２の医療機器が使用されることを確認する段階と、
確認に基づいて、上記医療的イベントの間、
（ａ）上記第２の医療機器に上記臨床情報のうちの少なくとも一部を表示すること、
（ｂ）上記臨床情報のうちの少なくとも一部から導き出された情報を上記第２の医療機器上に表示すること、
（ｃ）上記臨床情報に基づいて上記第２の医療機器のオペレーションを変更すること、及び、
（ｄ）上記第２の医療機器又は遠隔データベースに上記臨床情報を格納すること、
のうちの１又は複数を実行する段階と
を備える、方法。
［項目６０］
上記臨床情報は、上記患者が心停止になる前に上記医療的イベントの第１部分の間に生成され、上記第２の医療機器は上記医療的イベントの後続の部分の間に上記患者をモニタリングするために使用され、上記臨床情報のうちの少なくとも一部から導き出された情報を上記第２の医療機器上に表示することは、上記第２の医療機器に、
（Ａ）上記第１の医療機器が上記患者のモニタリングを始めたときの心拍リズムを示す表現を表示すること、
（Ｂ）上記患者が心停止になる直前の心拍リズムを示す表現を表示すること、及び、
（Ｃ）上記患者の心臓に対して電気ショックを実施した後の時間における上記患者の心拍リズムの表現を表示すること、
のうちの１又は複数を表示することを含む、
項目５９に記載の方法。
［項目６１］
上記医療的イベントの間、上記患者に対して第２の医療機器が使用されることを確認することは更に、上記第１の医療機器及び上記第２の医療機器が近接して配置されているというインディケーションを、上記第１の医療機器及び上記第２の医療機器のうちの少なくとも１つ上に提供することを含む、項目５９又は６０に記載の方法。
［項目６２］
確認する上記段階は更に、無線周波数信号を交換すると、上記第１の医療機器及び上記第２の医療機器が近接して配置されていることを判定することを含む、項目６１に記載の方法。
［項目６３］
上記臨床情報は、上記医療的イベントの間の患者への心肺蘇生法（ＣＰＲ）の実施について詳述する、項目５９から６２のいずれか１項に記載の方法。
［項目６４］
第１の臨床情報のうちの少なくとも一部から導き出された上記情報は、ＣＰＲ品質のインディケーションを含む、項目６３に記載の方法。
［項目６５］
上記ＣＰＲ品質のインディケーションは、胸部圧迫メトリックのインディケーションを含む、項目６４に記載の方法。
［項目６６］
上記第１の臨床情報のうちの少なくとも一部から導き出された上記情報は、ＣＰＲ時間のインディケーションを含む、項目６５に記載の方法。
［項目６７］
上記ＣＰＲ時間のインディケーションは、ＣＰＲ実施の開始時間、ＣＰＲ実施の終了時間、ＣＰＲ実施の継続期間、及び、胸部圧迫タイミングのうちの１又は複数を含む、項目６６に記載の方法。
［項目６８］
上記臨床情報は第１の臨床情報であり、上記医療的イベントの間、上記第２の医療機器が上記患者に対して使用されることを確認することは、上記第１の臨床情報と、上記第２の医療機器を使用して処置されている上記患者の身元識別情報、上記患者又は上記第２の医療機器の場所、時間、介護福祉士の身元識別情報、及び、上記第２の医療機器により集められた第２の臨床情報、に列挙する項目のうちの１つ又はそれらの組み合わせに関する情報との間の相関性を判定することを含む、項目５９から６７のいずれか１項に記載の方法。
［項目６９］
上記第１の医療機器及び上記第２の医療機器の一方又は両方を認証することを更に備える、項目５９から６８のいずれか１項に記載の方法。
［項目７０］
認証することは集中型認証局に少なくとも部分的に基づく、項目６９に記載の方法。